(57)【要約】【課題】ターゲット試験所に近接するトリガー試験所の通常の需要レベルからの例外的な偏差に基づいて、複数の試験所内の試験所器具によって、生体試料を処理するための、消耗品の異常な要求を検出するシステム及びコンピュータ実装方法を提供すること。【解決手段】本明細書において、開示される実施形態によれば、試験所のための在庫アラートシステムは、複数の試験所及びそれに通信接続される制御システムを含む。複数の試験所は少なくとも１つのトリガー試験所及び少なくとも１つのターゲット試験所を含み、各試験所は、生体試料の少なくとも１つの処理ステップを実行するように構成された少なくとも１つの試験所用器具を含む。【選択図】図１
2018073426.tif 000002
【特許請求の範囲】
【請求項１】
試験所のための在庫アラートシステム（１）であって、
少なくとも１つのトリガー試験所（１０．１〜１０．ｎ）及び少なくとも１つのターゲット試験所（１０．Ｘ）を含む複数の試験所（１０）であって、各試験所（１０）は生体試料の少なくとも１つの処理ステップを実行するように構成された少なくとも１つの試験所用器具（１２）を備え、前記処理ステップを実行するために消耗品が必要とされる、複数の試験所（１０）と、
通信ネットワーク（４０）によって、前記複数の試験所（１０）の各々に通信接続される制御ユニット（２０）と
を含む在庫アラートシステム（１）において、前記在庫アラートシステム（１）が、
対応するトリガー試験所（１０．１〜１０．ｎ）によって前記処理ステップを実行するために必要とされる前記消耗品の通常の需要レベルＴを決定し、
前記対応するトリガー試験所（１０．１〜１０．ｎ）によって前記処理ステップを実行するために必要とされる前記消耗品の実際の使用データＸを処理し、
前記対応するトリガー試験所（１０．１〜１０．ｎ）の前記通常の需要レベルＴから、前記実際の使用データＸの偏差Ｄを決定し、
例外的な偏差閾値ＥＤＴを上回る各偏差Ｄのアラートトリガー係数Ｆを算出し、
前記ターゲット試験所（１０．Ｘ）の近接度Ｐ内の各トリガー試験所（１０．１〜１０．ｎ）に対応する各アラートトリガー係数Ｆの集計Ｆｔｏｔがアラート閾値ＡＴを上回ると、前記ターゲット試験所（１０．Ｘ）にアラートを出す
ように構成されることを特徴とする、
在庫アラートシステム（１）。
【請求項２】
生体試料の前記処理ステップを実行するために必要とされる前記消耗品の前記通常の需要レベルＴが、それぞれのトリガー試験所（１０．１〜１０．ｎ）に対応する規定の期間当たりの、行われた処理ステップ及び／又は指示された処理ステップの平均数及び／又は中央値数に基づいて決定され、かつ／又は、季節変動、予定ベースの変動、イベントにリンクした変動及び傾向に関連した変動、地理的に影響を受けた変動、のうちの１つ又は複数を含む履歴データに基づいて決定される、請求項１に記載の在庫アラートシステム（１）。
【請求項３】
前記アラートトリガー係数Ｆが、前記通常の需要レベルＴ、前記偏差Ｄ、前記トリガー試験所（１０．１〜１０．ｎ）と前記ターゲット試験所（１０．Ｘ）との前記近接度Ｐ、のうちの１つ又は複数の関数であり、かつ／又は、
前記近接度Ｐが関数であり、特に以下のパラメータ、
前記トリガー試験所（１０．１〜１０．ｎ）と前記ターゲット試験所（１０．Ｘ）の間の地理的距離ｄ１〜ｄｎ、
前記トリガー試験所（１０．１〜１０．ｎ）と前記ターゲット試験所（１０．Ｘ）の間の移動距離ｄｔ、
前記トリガー試験所（１０．１〜１０．ｎ）と前記ターゲット試験所（１０．Ｘ）の間の移動時間ｔｔ、
前記トリガー試験所（１０．１〜１０．ｎ）と前記ターゲット試験所（１０．Ｘ）の間の移動頻度ｔｆ、
選択された地理的及び／又は政治的な領域Ａ、
のうちの１つ、又は複数のパラメータの組合せの加重関数であり、
前記近接度関数Ｐが、以下の加重、
前記トリガー試験所（１０．１〜１０．ｎ）及び前記ターゲット試験所（１０．Ｘ）に重なっている既知の感染症の拡散パターン、
前記トリガー試験所（１０．１〜１０．ｎ）及び前記ターゲット試験所（１０．Ｘ）の前記地理的領域からの既知の及び／又は感染が疑われる一般参加者がある、既知の及び／又は予想される高い感染症のリスクレベルを有する既知の大きなイベント、
のうちの１つ又は複数を有する、
請求項１又は２に記載の在庫アラートシステム（１）。
【請求項４】
前記ターゲット試験所（１０．Ｘ）にアラートを出すことが、前記ターゲット試験所（１０．Ｘ）のための前記消耗品の予想される需要偏差の算出を含み、前記予想される需要偏差は、前記ターゲット試験所（１０．Ｘ）の前記通常の需要レベルＴの関数、及び／又は前記ターゲット試験所（１０．Ｘ）の前記近接度Ｐ内の各トリガー試験所（１０．１〜１０．ｎ）に対応する各アラートトリガー係数Ｆの関数、及び／又は各トリガー試験所の前記偏差Ｄの関数である、請求項１から３のいずれか１項に記載の在庫アラートシステム（１）。
【請求項５】
前記ターゲット試験所（１０．Ｘ）にアラートを出すことが、前記ターゲット試験所（１０．Ｘ）のための前記消耗品の前記予想される需要偏差及び前記ターゲット試験所（１０．Ｘ）内の前記消耗品の前記実際の在庫に基づく、対応する消耗品の注文書の生成、及び／又は前記ターゲット試験所（１０．Ｘ）のための前記注文書に基づいて前記対応する消耗品を自動的に注文することを含む、請求項４に記載の在庫アラートシステム（１）。
【請求項６】
入力装置（３０）を更に含み、前記制御ユニット（２０）が、
前記入力装置（３０）から、予想される需要偏差の前記算出の精度を表す入力を受け取り、
前記入力に基づいて、前記例外的な偏差閾値ＥＤＴ、及び／又は前記アラート閾値ＡＴ、及び／又は前記アラートトリガー係数Ｆの算出のための前記関数のパラメータ、及び／又は前記予想される需要偏差の算出のための前記関数のパラメータを調整する
ように構成される、請求項１から５のいずれか１項に記載の在庫アラートシステム（１）。
【請求項７】
前記少なくとも１つの試験所用器具（１２）が、少なくとも１つの分析機器を含み、生体試料の前記少なくとも１つの処理ステップが、生体試料から測定値を取得するための前記生体試料の少なくとも１つの診断試験を含む、請求項１から６のいずれか１項に記載の在庫アラートシステム（１）。
【請求項８】
複数の試験所（１０）を制御ユニット（２０）に通信接続するステップであって、前記複数の試験所（１０）は、少なくとも１つのトリガー試験所（１０．１〜１０．ｎ）及び少なくとも１つのターゲット試験所（１０．Ｘ）を含み、各試験所（１０）は、生体試料の少なくとも１つの処理ステップを実行するように構成された少なくとも１つの試験所用器具（１２）を備え、前記処理ステップを実行するために消耗品が必要とされる、ステップと、
対応するトリガー試験所（１０．１〜１０．ｎ）によって、前記処理ステップを実行するために必要とされる前記消耗品の通常の需要レベルＴを決定するステップと、
前記対応するトリガー試験所（１０．１〜１０．ｎ）によって、前記処理ステップを実行するために必要とされる前記消耗品の実際の使用データＸを処理するステップと、
前記対応するトリガー試験所（１０．１〜１０．ｎ）の前記通常の需要レベルＴから前記実際の使用データＸの偏差Ｄを決定するステップと、
例外的な偏差閾値ＥＤＴを上回る各偏差Ｄのアラートトリガー係数Ｆを算出するステップと、
前記制御ユニット（２０）が、前記ターゲット試験所（１０．Ｘ）の前記近接度Ｐ内の各トリガー試験所（１０．１〜１０．ｎ）に対応する各アラートトリガー係数Ｆの集計Ｆｔｏｔがアラート閾値ＡＴを上回ると、前記ターゲット試験所（１０．Ｘ）にアラートを出すステップと
を含む、試験所にアラートを出すためのコンピュータ実装方法。
【請求項９】
前記処理ステップを実行するために必要とされる前記消耗品の前記通常の需要レベルＴが、それぞれのトリガー試験所（１０．１〜１０．ｎ）に対応する規定の期間当たりの、行われた処理ステップ及び／又は指示された処理ステップの平均数及び／又は中央値数に基づいて決定され、かつ／又は、季節変動、予定ベースの変動、イベントにリンクした変動及び傾向に関連した変動、地理的に影響を受けた変動、のうちの１つ又は複数を含む履歴データに基づいて決定される、請求項８に記載の試験所にアラートを出すための方法。
【請求項１０】
前記アラートトリガー係数Ｆが、前記通常の需要レベルＴ、前記偏差Ｄ、及び前記トリガー試験所（１０．１〜１０．ｎ）と前記ターゲット試験所（１０．Ｘ）との前記近接度Ｐのうちの１つ又は複数の関数であり、かつ／又は、
前記近接度Ｐは、関数であり、特に以下のパラメータ、
前記トリガー試験所（１０．１〜１０．ｎ）と前記ターゲット試験所（１０．Ｘ）の間の地理的距離ｄ１〜ｄｎ、
前記トリガー試験所（１０．１〜１０．ｎ）と前記ターゲット試験所（１０．Ｘ）の間の移動距離ｄｔ、
前記トリガー試験所（１０．１〜１０．ｎ）と前記ターゲット試験所（１０．Ｘ）の間の移動時間ｔｔ、
前記トリガー試験所（１０．１〜１０．ｎ）と前記ターゲット試験所（１０．Ｘ）の間の移動頻度ｔｆ、
選択された地理的及び／もしくは政治的な領域Ａ、
のうちの１つ、又は複数のパラメータの組合せの加重関数であり、
前記近接度関数Ｐが、以下の加重、
前記トリガー試験所（１０．１〜１０．ｎ）及び前記ターゲット試験所（１０．Ｘ）に重なっている既知の感染症の拡散パターン、
前記トリガー試験所（１０．１〜１０．ｎ）及び前記ターゲット試験所（１０．Ｘ）の前記地理的領域からの既知の及び／又は感染が疑われる一般参加者がある、既知の及び／又は予想される高い感染症のリスクレベルを有する既知の大きなイベント、
のうちの１つ又は複数を有する、
請求項８又は９に記載の方法。
【請求項１１】
前記ターゲット試験所（１０．Ｘ）のための前記消耗品の予想される需要偏差を算出するステップを更に含み、前記予想される需要偏差は、前記ターゲット試験所（１０．Ｘ）の前記通常の需要レベルＴの関数、及び／又は前記ターゲット試験所（１０．Ｘ）の前記近接度Ｐ内の各トリガー試験所（１０．１〜１０．ｎ）に対応する各アラートトリガー係数Ｆの関数、及び／又は各トリガー試験所の前記偏差Ｄの関数である、請求項８から１０のいずれか１項に記載の方法。
【請求項１２】
前記ターゲット試験所（１０．Ｘ）のための前記消耗品の前記予想される需要偏差及び前記ターゲット試験所（１０．Ｘ）内の前記消耗品の前記実際の在庫に基づいて対応する消耗品の注文書を生成するステップ、及び／又は前記ターゲット試験所（１０．Ｘ）のための前記注文書に基づいて前記対応する消耗品を自動的に注文するステップを更に含む、請求項１１に記載の方法。
【請求項１３】
入力装置（３０）から、予想される需要偏差の前記算出の精度を表す入力を受け取るステップと、
前記入力に基づいて、前記例外的な偏差閾値ＥＤＴ、及び／又は前記アラート閾値ＡＴ、及び／又は前記アラートトリガー係数Ｆの算出のための前記関数のパラメータ、及び／又は前記予想される需要偏差の算出のための前記関数のパラメータを調整するステップと
を更に含む、請求項８から１２のいずれか１項に記載の方法。
【請求項１４】
前記少なくとも１つの試験所用器具（１２）が、少なくとも１つの分析機器を含み、生体試料の前記少なくとも１つの処理ステップが、生体試料から測定値を取得するための前記生体試料の少なくとも１つの診断試験を含む、請求項８から１３のいずれか１項に記載の方法。
【請求項１５】
プログラムコード手段を有するコンピュータプログラム製品であって、前記プログラムがコンピュータ又はコンピュータネットワーク上で実行されるとき、請求項８から１４のいずれか１項に記載の方法を実行するための、コンピュータプログラム製品。
【発明の詳細な説明】
【技術分野】
【０００１】
本開示は、試験所（ｌａｂｏｒａｔｏｒｉｅｓ）のための、特に生体試料の少なくとも１つの処理ステップ、中でも臨床試験を実行するように構成された少なくとも１つの試験所用器具を備えた試験所のための、在庫アラートシステムに関する。本開示は更に、消耗品の需要偏差について試験所にアラートを出すためのコンピュータ実装方法に関する。
【背景技術】
【０００２】
生体外診断試験は、医師に枢要な情報を提供して、臨床決定に大きな影響を及ぼす。特に、救命救急環境において迅速かつ正確な試験結果を提供することは非常に重要である。
診断試験は、試薬、陽性と陰性の管理などの品質管理材料、較正装置材料、マイクロプレート／マイクロウェルプレート、測定キュベット、試料管、分注チップなどの各種の消耗品を利用する。臨床試験の実施を可能とするためには、従って、試験所が利用可能な全ての必要な消耗品を保有していることが最も重要である。
【０００３】
診断試験所のための既存の在庫管理システムは、注文される、及び／又は試験所に格納される各消耗品の最大数（在庫）に対して固定的に設定された値を有する。顧客が値を入力し、システムは、この値をシステムが再設定されるまで使用する。消耗品の注文は、現状在庫及びストックされる消耗品の（通常静的な）最大数に基づいており、現状在庫が設定された閾値を下回ると、注文が起動される。
【０００４】
感染症の広範囲にわたる発生により、又は特定の時期のある地域での感染症の可能性の高まりによっても、試験所は、それらが通常、履歴データ又は通常の／予測できる季節変動に基づいて予想するよりも多くの生体試料の特定の試験所測定（臨床試験）を実行することになる。従って、試験所において、ピークの消費期間の間に消耗品が尽きるというというリスクがあり、それが試験所測定結果の取得の遅れをもたらす。
【０００５】
消耗品が尽きるというこのリスクを減らすために、現在は、予測不可能な状況を緩和する試みの中で、試験所は、特定の消耗品の予想される必要量よりさらに多くを賄うように試験所のストックを増やしている。
【０００６】
しかしながら、保存スペースは、それがセットアップコスト及び再発コストの両方と結びついているため、その最大の効率まで使うことが必要である。このことは、規定の温度範囲内、例えば冷蔵庫内に保管されることを必要とする試薬などの消耗品の保存の場合に、一層当てはまる。更にまた、臨床試験のために必要とされる大部分の消耗品が厳しい使用期限を有することから、（セーフティマージンによって）常に需要／使用を上回るストックは、必然的に無駄につながる。
【発明の概要】
【発明が解決しようとする課題】
【０００７】
従って、全ての消耗品が常に全ての必要な臨床試験に利用できることを確実にすると共に、需要が通常の／予想される需要のパターンから逸脱するときでも、消耗品の予備ストックが過大であることによる不必要な保存スペースの利用又は無駄な消耗品を回避する、という在庫システムが必要である。
【課題を解決するための手段】
【０００８】
本明細書において開示するのは、ターゲット試験所（ｔａｒｇｅｔ  ｌａｂｏｒａｔｏｒｙ）に近接するトリガー試験所（ｔｒｉｇｇｅｒ  ｌａｂｏｒａｔｏｒｉｅｓ）の通常の需要レベルからの例外的な偏差に基づいて、試験所器具によって生体試料を処理するための、消耗品の異常な要求を検出するシステム及びコンピュータ実装方法である。
【０００９】
本明細書において開示される実施形態によれば、試験所のための在庫アラートシステムは、複数の試験所及びそれに通信接続される制御システムを含む。複数の試験所は少なくとも１つのトリガー試験所及び少なくとも１つのターゲット試験所を含み、各試験所は、生体試料の少なくとも１つの処理ステップを実行するように構成された少なくとも１つの試験所用器具を備える。少なくとも１つの消耗品は、生体試料の処理ステップを実行することを必要とする。
【００１０】
在庫アラートシステムは、第１のステップにおいて、対応するトリガー試験所によって、生体試料の処理ステップを実行するために必要とされる消耗品の、通常の需要レベルＴを決定するように設定される。
【００１１】
更なるステップにおいて、在庫アラートシステムは、各トリガー試験所によって、生体試料の処理ステップを実行するために必要とされる消耗品の、実際の使用データＸを処理する。このデータに基づいて、在庫アラートシステムは、対応するトリガー試験所の通常の需要レベルＴからの、実際の使用データＸの偏差Ｄを決定する。
【００１２】
次に、アラートトリガー係数Ｆが、例外的な偏差閾値を超える偏差Ｄごとに算出される。これらの偏差は、例外的な偏差と呼ばれる。例外的な偏差閾値未満の偏差は、消耗品の実際の使用での通常のばらつきと考えられ、いかなるアラートも起こすものとは考えない。
【００１３】
ターゲット試験所は、ターゲット試験所に近接する各トリガー試験所に対応する各アラートトリガー係数Ｆの集計がアラート閾値ＡＴを上回るときに、アラートを受ける。
本明細書において開示される実施形態により、在庫アラートシステム又は開示のアラート方法は、複数のレベルの構成能力に対して効果的であり、従って適応性が有効となる。すなわち、
−  例外的な偏差閾値によって、通常の消耗品需要ばらつきは、各トリガー試験所に特有の方法でフィルタリング除去され、
−  近接度関数及びその重み付けによって、各トリガー試験所の関連性（又は影響）は、特定のターゲット試験所に対して微調整され、
−  集約トリガー係数の適切なアラート閾値を設定することによって、関連性の低いアラートトリガー係数による誤ったトリガーは、フィルタリング除去できる。
【００１４】
開示されるシステム及び方法の実施形態において、生体試料の処理ステップを実行するために必要とされる消耗品の通常の需要レベルは、それぞれのトリガー試験所に対応する規定の期間当たりの、行われた処理ステップ及び／又は指示された処理ステップの平均数及び／又は中央値数に基づいて決定され、かつ／又は、季節変動、予定ベースの変動、イベントにリンクした変動と傾向に関連した変動、地理的に影響を受けた変動、のうちの１つ又は複数を含む履歴データに基づいて決定される。
【００１５】
開示されるシステム及び方法の特定の実施形態において、アラートトリガー係数は、通常の需要レベル、例外的な偏差、及びトリガー試験所とターゲット試験所の近接度Ｐのうちの１つ又は複数の関数である。
【００１６】
開示されるシステム及び方法の特定の実施形態において、近接度Ｐは関数であり、特に加重関数である。
開示されるシステム及び方法の特定の実施形態において、ターゲット試験所にアラートを出すことは、ターゲット試験所のための消耗品の予想される需要偏差の算出を含み、予想される需要偏差は、ターゲット試験所の通常の需要レベルＴの関数、及び／又はターゲット試験所の近接度Ｐ内の各トリガー試験所に対応する各アラートトリガー係数Ｆの関数、及び／又は各トリガー試験所の偏差Ｄの関数である。
【００１７】
開示されるシステム及び方法の特定の実施形態において、ターゲット試験所にアラートを出すことは、ターゲット試験所のための消耗品の予想される需要偏差及びターゲット試験所の消耗品の実際の在庫に基づいた、対応する消耗品の注文書の生成及び／又は、ターゲット試験所のための注文書に基づいた、対応する消耗品の自動的な注文を含む。
【００１８】
開示されるシステム及び方法の特定の実施形態において、少なくとも１つの試験所用器具は、少なくとも１つの分析機器を含み、そしてそこでは、生体試料の少なくとも１つの処理ステップは、生体試料から測定値を取得するための生体試料の少なくとも１つの診断試験を含む。
【００１９】
開示されるシステム及び方法の特定の実施形態において、少なくとも１つの試験所用器具は、少なくとも１つの事前分析機器を含み、そしてそこでは、生体試料の少なくとも１つの処理ステップは、遠心分離、分注、生体試料からの分析物の分析物分離を含む。
【００２０】
開示される方法／装置／システムの更なる特性及び利点は、以下において、記述によって、そして、図面を参照することによって、詳述する。
【図面の簡単な説明】
【００２１】
【図１】通信ネットワークによって、制御ユニットと通信接続される複数の試験所を含む在庫アラートシステムの実施形態の概略図である。
【図２】試験所にアラートを出すための開示される方法、又は在庫アラートシステムが実行するように構成された処理ステップを表すフローチャートである。
【図３】実際の使用データＸ、消耗品の通常の需要レベルＴ、並びに試験所によって、生体試料の処理ステップを実行するために必要とされる特定の消耗品の例外的な偏差閾値ＥＤＴを示す図である。
【図４】開示される在庫アラートシステムの複数の試験所の地理的分布の例であり、複数の試験所は少なくとも１つのトリガー試験所及び少なくとも１つのターゲット試験所を含む。
【図５】ターゲット試験所のための消耗品の予想される需要偏差の算出を更に含む、試験所にアラートを出すための開示される方法、又は在庫アラートシステムが実行するように構成された処理ステップの更なる実施形態を表すフローチャートである。
【図６】ターゲット試験所のための消耗品の予想される需要偏差に基づいて、対応する消耗品の注文書の生成又は自動注文を更に含む、試験所にアラートを出すための開示される方法、又は在庫アラートシステムが実行するように構成された処理ステップの更なる実施形態を表すフローチャートである。
【図７】制御ユニットに通信で接続する入力装置を更に含む在庫アラートシステムの更なる実施形態の概略図である。
【発明を実施するための形態】
【００２２】
注記：図は、一定の比率で描画されてはおらず、例示目的としてだけ提供されており、本発明の範囲を定めるためにではなく、より良好な理解の用途のための役割を果たすだけのものである。これらの図からは、いかなる本発明の特徴の限定も推定されるべきではない。
【００２３】
特定の用語が本特許出願において、使われるが、その明確な記述は、選択される具体的な用語により限定されるように解釈されるべきではなく、具体的な用語の背景にある一般の概念に関するものと解釈すべきである。
【００２４】
本明細書において用いる場合、用語「含む」、「含んで」、「備える」、「備えて」、「有する」、「有して」あるいはそれらの他のいかなる変化形も、特徴の非排他的な包含をカバーすることを意図している。
【００２５】
本明細書において用いる「解析システム」は、１つ又は複数の事前解析及び事後解析の解析装置に動作上結合された制御ユニットを含み、制御ユニットが装置を制御するように動作可能である。加えて、制御ユニットは、装置のいずれか１つへの、及び／又はそれからの試料及び／又は消耗品のロード、格納及び／又はアンロードを制御し、分析のための試料、試料管又は試薬などを準備するために使用する分析システムの、分析又はハードウェア又はソフトウェア動作を初期化するために、集められた分析データを評価し、及び／又は処理するように動作可能とすることができる。
【００２６】
「分析物」という用語は、分析される試料のコンポーネント、例えば各種のサイズの分子、イオン、タンパク質、代謝物質などである。分析物に集められる情報は、微生物上又は、特定の組織への薬の投与の影響を評価するため、又は診断を行うために、用いることができる。このように、「分析物」は、存在及び／又は濃度に関する情報が意図される物質に対する一般用語である。分析物の例は、例えば、ブドウ糖、凝固パラメータ、内因性タンパク質（例えば心筋から放出されるタンパク質）、代謝物質、核酸などである。
【００２７】
「分析データ」という本明細書で用いる用語は、生体試料の測定結果を記述しているいかなるデータも包含する。較正の場合、分析データは、較正結果（すなわち較正データ）を含む。特に、分析データは、分析が実行され、データが測定データなどの分析の結果を記述している、試料の識別子を含む。
【００２８】
「試験所用器具」という本明細書で用いる用語は、１つ又は複数の生体試料及び／又は１つ又は複数の試薬に１つ又は複数の処理ステップ／ワークフローステップを実行するように動作可能ないかなる装置又は装置コンポーネントも包含する。「処理ステップ」という表現は、これによって、遠心分離、分注、分析物分離、試料分析などの、物理的に実行される処理ステップを指す。「器具」という用語は、事前分析機器、事後分析機器、更には分析機器をカバーする。
【００２９】
「アナライザ」／「分析機器」という本明細書で用いる用語は、測定値を取得するように構成されたいかなる装置又は装置コンポーネントも包含する。アナライザは、各種の化学的、生物学的、物理的、光学的であるか、他の技術的な手順を介して、試料又はそのコンポーネントのパラメータ値を決定するように動作可能である。アナライザは、試料の、又は、少なくとも１つの分析物の前記パラメータを測定して、取得された測定値を戻すように動作可能であり得る。アナライザにより戻される可能性がある解析結果のリストとしては、限定するものではないが、試料の分析物の濃度、試料中の分析物の存在を示しているデジタル的な（イエスかノーの）結果（検出レベルを上回る濃度に対応する）、光学パラメータ、ＤＮＡ又はＲＮＡ配列、タンパク質又は代謝物質の質量スペクトロスコピーから取得されるデータ、及び様々なタイプの物理的又は化学的パラメータが含まれる。分析機器は、試料及び／又は試薬の分注、ドージング及びミキシングを支援するユニットを含むことができる。アナライザは、分析を実行するための保持試薬用の試薬保持ユニットを含むことができる。試薬は、例えば、個々の試薬又は試薬のグループを含むコンテナ又はカセットの形で配置することができ、保管室又はコンベヤの中で適切なレセプタクル又は位置に置かれる。それは、消耗品供給装置又は消耗品ロード及びアンロードユニットを含むことができる。アナライザは、ワークフローが特定のタイプの分析に最適化されるプロセス及び検知システムを含むことができる。このようなアナライザの例は、臨床化学アナライザ、凝固化学アナライザ、免疫化学アナライザ、尿アナライザ、核酸アナライザであり、化学的又は生物学的反応の結果を検出するか、又は化学的又は生物学的反応の進行をモニタするために用いる。
【００３０】
「看護時点アナライザ」という本明細書で用いる用語は、限定するものではないが、血糖テスト、凝固テスト、血液ガス及び電解液分析、尿検査、心臓マーカ分析、ヘモグロビン診断法、感染症テスト及びコレステロールスクリーニングなどの、看護時点環境において、使用するいかなるアナライザも包含する。結果はＰＯＣアナライザに直接見ることができるか又はＰＯＣシステムに送信することができて、中央試験所の結果と共に、あるいは病院情報システム（ＨＩＳ）の画像化結果と一緒に、試験所ミドルウェア又は、試験所情報システム（ＬＩＳ）において、示すことができる。
【００３１】
「分析」又は「分析試験」という本明細書で用いる用語は、分析物の存在又は量又は機能活動を質的に評価するか又は量的に測定するための生体試料のパラメータを特徴づける検査手順を包含する。
【００３２】
「事前分析機器」という本明細書で用いる用語は、１つ又は複数の事前分析処理ステップ／ワークフローステップを実行するように構成されたいかなる装置又は装置コンポーネントも包含し、そのステップとしては、限定するものではないが、遠心分離、分析物分離、再懸濁（例えばミキシング又はボルテックスすることによる）、キャッピング、デキャッピング、リキャッピング、ソーティング、管型識別、試料品質の決定及び／又は分注のステップを含む。処理ステップは、試料に化学薬品又はバッファを追加し、試料を濃縮し、試料などを培養することなどを含むこともできる。
【００３３】
「事後分析機器」という本明細書で用いる用語は、１つ又は複数の事後分析処理ステップ／ワークフローステップを実行するように構成されたいかなる装置又は装置コンポーネントも包含し、そのステップとしては、限定するものではないが、試料アンロード、運搬、リキャッピング、デキャッピング、一時的保管／バッファリング、所定期間保存（冷蔵あり又は無し）、取り出し及び／又は廃棄を含む。
【００３４】
「通信ネットワーク」という本明細書で用いる用語は、ＷｉＦｉ、ＧＳＭ（登録商標）、ＵＭＴＳ又は他の無線デジタルネットワークなどの任意のタイプの無線ネットワーク、又は、イーサネット（登録商標）などのケーブルベースのネットワークを包含する。特に、通信ネットワークは、インターネットプロトコル（ＩＰ）を実装できる。例えば、通信ネットワークは、ケーブルベース及び無線ネットワークの組合せを含む。
【００３５】
「制御ユニット」という本明細書で用いる用語は、いかなる物理的又は仮想データ処理装置も包含する。いくつかの実施形態では、制御ユニットは、データ管理ユニットと統合されていてもよく、サーバコンピュータに含まれてもよく、及び／又は、１つの試験所用器具の一部であってもよく、もしくは、試験所システムの複数の器具にわたって分散されていてもよい。制御ユニットは、例えば、命令を備えていて動作を実行するコンピュータ読取り可能プログラムを実行するプログラマブルロジックコントローラとして具体化できる。「データ管理ユニット」は、データを格納して、管理するためのコンピューティングユニットである。これは、生体試料に処理ステップを実行するために必要とされる消耗品に関するデータを含むことができる。データ管理ユニットは、ＬＩＳ（試験所情報システム）及び／又はＨＩＳ（病院情報システム）に接続できる。データ管理ユニット（ＤＭＵ）は、自動化システム内又はそれと同じ場所に配置したユニットであり得る。それは、制御ユニットの一部であってもよい。あるいは、ＤＭＵは、遠隔に位置するユニットであってもよい。例えばそれは、通信ネットワークを介して接続されるコンピュータで具体化できる。
【００３６】
「試料」、「患者試料」及び「生体試料」という用語は、関心を引く分析物を潜在的に含むことができる材料を指す。患者試料は、血液を含む生理的体液、唾液、眼球レンズ液、脳脊髄液、汗、尿、大便、精液、乳、腹水液、粘液、滑液、腹膜液、羊水、組織、培養細胞などのあらゆる生物学的ソースから抽出できる。患者試料は、粘性液、溶解などを希釈して、血液からの血漿の準備などの使用の前に前処理できる。処理の方法は、濾過、蒸留、凝縮、干渉するコンポーネントの不活化及び試薬の追加を含むことができる。患者試料は、ソースから取得されたまま直接使用するか、又は前処理の後、試料の特性を修正するために使用できる。いくつかの実施形態において、初めに固体であるか半固体の生物学的材料は、溶解するか又は適切な液状媒体を有するそれを懸濁することにより液体にすることができる。いくつかの実施形態では、試料は、特定の抗原又は核酸を含むと疑われ得る。
【００３７】
本明細書で用いられる「ユーザインタフェース」という用語は、オペレータとマシンの間にインタラクションのためのソフトウェア及び／又はハードウェアのいかなる適切な部分も包含し、それは、限定するものではないが、コマンドをオペレータから入力として受けるため、そしてまた、フィードバックを提供して、それに対して情報伝達するためのグラフィカルユーザインタフェースを含む。また、システム／装置はいくつかのユーザインタフェースを提示して、異なる種類のユーザ／オペレータのために役立つことができる。
【００３８】
試験所のための在庫アラートシステム１、又は試験所にアラートを出すためのコンピュータ実装方法が、その特定の実施形態を参照して以下に記載される。
図１に図示するように、試験所のための在庫アラートシステム１は、通信ネットワーク４０によって、制御ユニット２０に通信接続される複数の試験所１０を含む。試験所１０は、異なる地理的な位置に及び／又は１つの特定の位置（例えば同じ病院の各種の試験所、診断センターなど）の異なる領域に位置できる。
【００３９】
複数の試験所１０の各試験所１０は生体試料の少なくとも１つの処理ステップを実行するように構成された少なくとも１つの試験所用器具１２を含み、処理ステップを実行するために消耗品が必要とされる。少なくとも１つの試験所用器具１２は、事前分析機器、分析機器及び／又は事後分析機器のうちの１つ又は複数であってもよい。それに応じて、生体試料の少なくとも１つの処理ステップは、以下のうちの１つ又は複数を含む。
【００４０】
−  事前分析処理ステップであって、限定するものではないが、遠心分離、分離／隔離、再懸濁（例えばミキシング又はボルテックスすることによる）、キャッピング、デキャッピング、リキャッピング、ソーティング、管型識別、試料品質の決定及び／又は分注のステップを含む事前分析処理ステップ、
−  生体試料から測定値を取得するための生体試料の診断試験、及び／又は
−  事後分析処理ステップであって、限定するものではないが、試料アンロード、運搬、リキャッピング、デキャッピング、一時的保管／バッファリング、所定期間保存（冷蔵あり又は無し）、取り出し及び／又は廃棄を含む事後分析処理ステップ。
【００４１】
生体試料の処理ステップに対応して、処理ステップを実行するために必要とされる少なくとも１つの消耗品は、限定するものではないが、試薬、希釈剤、分注チップなどの液体処理使い捨て用品、キュベット、試料プレート、マイクロウェルプレートなどの反応容器、試料管、試料管ラック、のうちの１つ又は複数を含む。
【００４２】
複数の試験所１０は、トリガー試験所１０．１〜１０．ｎである少なくとも１つの試験所、及びターゲット試験所１０．Ｘである少なくとも１つの試験所を含む。同じ試験所１０が、異なる時点では、トリガー試験所１０．１〜１０．ｎ及びターゲット試験所１０．Ｘの両方であってもよい点に留意する。
【００４３】
少なくとも１つのトリガー試験所１０．１〜１０．ｎ及び少なくとも１つのターゲット試験所１０．Ｘは、複数の試験所１０のそれぞれに、有線又は無線通信ネットワーク又はそれらの組合せであってもよい通信ネットワーク４０によって、通信接続される。
【００４４】
図１は、制御ユニット２０がスタンドアロンの専用のサーバコンピュータである、開示するシステム１の一実施形態を示す。それにもかかわらず、各種実施形態（図示せず）によれば、制御ユニット２０は、多目的サーバコンピュータに含まれる仮想処理装置であってもよく、及び／又は、１つの試験所用器具の一部であっても、もしくは試験所システムの複数の器具にわたって分散されていてもよい。
【００４５】
ここで図２に戻ると、試験所にアラートを出すための開示される方法のステップが記載されており、方法は、コンピュータシステムによって、特に、このような方法ステップを実行するように構成された在庫アラートシステム１により行われる。
【００４６】
第１のステップにおいて、在庫アラートシステム１は、対応するトリガー試験所１０．１〜１０．ｎによって、処理ステップを実行するために必要とされる消耗品の通常の需要レベルＴを決定するように、構成される。
【００４７】
第１の実施形態によれば、通常の需要レベルＴは、それぞれのトリガー試験所１０．１〜１０．ｎ自体で測定される。このような実施形態では、トリガー試験所１０．１〜１０．ｎは、通信ネットワーク４０を介して通常の需要レベルＴを制御ユニット２０に発信するように構成される。
【００４８】
代わりに又は加えて、更なる実施形態によれば、通常の需要レベルＴは、対応するトリガー試験所１０．１〜１０．ｎから受け取られる実際の使用データに基づいて、制御ユニット２０で決定される。
【００４９】
通常の需要レベルＴは、試験所１０の対応する消耗品の予想される消費率を表し、それぞれのトリガー試験所１０．１〜１０．ｎに対応する規定の期間当たりの、行われた処理ステップ及び／又は指示された処理ステップの平均数及び／又は中央値数に基づいて決定され、かつ／又は、季節変動、予定ベースの変動、イベントにリンクした変動と傾向に関連した変動、地理的に影響を受けた変動、のうちの１つ又は複数を含む履歴データに基づいて決定される。
【００５０】
季節変動とは、本開示の文脈において、特定の診断試験が、例えば夏よりもっと頻繁に行われるカレンダシーズン、例えばインフルエンザシーズンによって影響を受ける生体試料に処理ステップを実行するために必要とされる消耗品の、消費のばらつきである。
【００５１】
予定ベースのばらつきとは、本開示の文脈において、例えば平日対週末、昼間勤務／夜間シフトの予定によって影響を受ける生体試料に処理ステップを実行するために必要とされる消耗品の、消費のばらつきである。
【００５２】
イベントリンク先のばらつきとは、本開示の文脈において、特定のイベント、例えば、試験需要の増加（例えば、リオデジャネイロでの２０１６年オリンピックゲーム後の世界中でのジカウイルス試験の増加）につながる、既知の／予想される汚染リスクを伴う、オリンピックゲームなどの大きなイベントによって影響を受ける生体試料に処理ステップを実行するために必要とされる消耗品の、消費のばらつきである。傾向関連のばらつきとは、本開示の文脈において、例えば老齢化人口のため、糖尿病を有する人口の増加などのために、あるタイプの試験を行うことがますます増えるという長期傾向によって影響を受ける生体試料に処理ステップを実行するために必要とされる消耗品の、消費のばらつきである。
【００５３】
地理的に影響を受けるばらつきとは、本開示の文脈において、例えばサハラ以南アフリカでのエボラ感染症の増加、第３世界の国々でのＨＩＶ試験の増加などの、それぞれのトリガー試験所１０．１〜１０．ｎの地理的な位置によって影響を受ける生体試料に処理ステップを実行するために必要とされる消耗品の、消費のばらつきである。
【００５４】
以下のステップにおいて、在庫アラートシステム１は、対応するトリガー試験所１０．１〜１０．ｎの通常の需要レベルＴからの実際の使用データＸの偏差Ｄを決定するために、対応するトリガー試験所１０．１〜１０．ｎによって、処理ステップを実行するために必要とされる消耗品の実際の使用データＸを処理するように、構成される。
【００５５】
第１の実施形態によれば、実際の使用データＸの処理及び／又は通常の需要レベルＴからの実際の使用データＸの偏差Ｄの決定は、それぞれのトリガー試験所１０．１〜１０．ｎ自体により実行される。このような実施形態では、トリガー試験所１０．１〜１０．ｎは、通信ネットワーク４０を介して偏差Ｄを制御ユニット２０に発信するように構成される。
【００５６】
代わりに又は加えて、更なる実施形態によれば、実際の使用データＸの処理及び／又は通常の需要レベルＴからの実際の使用データＸの偏差Ｄの決定は、通信ネットワーク４０を介してそれぞれのトリガー試験所１０．１〜１０．ｎから受け取られる実際の使用データＸに基づいて、制御ユニット２０により実行される。開示するシステム／方法の更なる実施形態によれば、通常の需要レベルＴ及び／又は実際の使用データＸは、複数のトリガー試験所１０．１〜１０．ｎのプライバシーを保護するために、匿名化される。
【００５７】
偏差Ｄが決定された後、それは例外的な偏差閾値ＥＤＴと比較される。偏差Ｄが例外的な偏差閾値ＥＤＴを下回るなら、消耗品使用の通常のばらつきと考えられ、従ってフィルタリング除去され、すなわち、このような偏差は考慮から除外される。開示される実施形態によれば、例外的な偏差閾値ＥＤＴは、履歴データに基づいて、例えば消耗品の通常の需要レベルＴのパーセンテージ、絶対値などとして設定される。例外的な偏差域値ＥＤＴは、「誤ったアラート」を回避するために消耗品使用の通常のばらつきをフィルタリング除去しながら、しかし同時に例外的な偏差が確実に検出されることを保証するように設定される。
【００５８】
図３は、例外的な偏差閾値ＥＤＴを上回る偏差Ｄを検出することについて、実際の使用データＸの通常の需要レベルＴから偏差Ｄを決定するために、実際の使用データＸが通常の需要レベルＴを見てどのように処理されるかという例を示す。通常の需要レベルＴの図示したばらつきは、例えば異なる時間帯（日中勤務対夜間勤務）、平日対週末、冬（インフルエンザシーズン）対夏など、試験所１０における活動のレベルが異なることに起因することがあり得る。従って、実際の使用データＸを通常の要求レベルＴと比較する目的は、近接するターゲット試験所１０．Ｘでの需要の増加につながる状況（例えば流行）の徴候であり得る、予想パターン／傾向を上回り／矛盾する偏差を検出することである。
【００５９】
図２に戻ると、偏差Ｄが例外的な偏差閾値ＥＤＴを上回る場合、アラートトリガー係数Ｆが算出される。
このアラートトリガー係数Ｆは、例外的な偏差閾値ＥＤＴを上回るどの全ての偏差Ｄに対しても、算出される。本明細書において、どの偏差Ｄも、同じトリガー試験所１０．１〜１０．ｎから生じている複数の偏差Ｄ並びに各種のトリガー試験所１０．１〜１０．ｎから生じている偏差Ｄを含む。
【００６０】
アラートトリガー係数Ｆは、通常の需要レベルＴ、偏差Ｄ、及びトリガー試験所１０．１〜１０．ｎとターゲット試験所１０．Ｘの近接度Ｐ、のうちの１つ又は複数の関数である。
【００６１】
開示されるシステム／方法の特定の実施形態によれば、アラートトリガー係数Ｆは、加重関数であり、通常の需要レベルＴが高いほど、そのアラートトリガー加重が大きく、かつ／又は、例外的な偏差域値ＥＤＴからの偏差Ｄが大きいほど、そのアラートトリガー加重が大きい。
【００６２】
第１の実施形態によれば、更なる実施形態によれば、アラートトリガー係数Ｆは、トリガー試験所の通常の需要レベルＴ、通信ネットワーク４０を介して受け取られるトリガー試験所の実際の使用データＸ及びトリガー試験所１０．１〜１０．ｎとターゲット試験所１０．Ｘの近接度Ｐに基づいて、制御ユニット２０により算出される。
【００６３】
代わりに又は加えて、アラートトリガー係数Ｆは、それぞれのトリガー試験所１０．１〜１０．ｎ自体により算出される。このような実施形態では、トリガー試験所１０．１〜１０．ｎは、通信ネットワーク４０を介してアラートトリガー係数Ｆを制御ユニット２０に発信するように構成される。
【００６４】
例外的な偏差閾値ＥＤＴを上回る各偏差Ｄのアラートトリガー係数Ｆの算出の後、ターゲット試験所１０．Ｘの近接度Ｐ内のトリガー試験所１０．１〜１０．ｎに対応するそれぞれのアラートトリガー係数Ｆが集計される。
【００６５】
ターゲット試験所１０．Ｘの近接度Ｐ内のトリガー試験所１０．１〜１０．ｎのアラートトリガー係数Ｆだけを集計することによって、開示するシステム／方法は、それらが近接していないことによる特定のターゲット試験所１０．Ｘに関連しないアラートトリガーをフィルタリング除去することを意図する。言い換えれば、選択されたアラートトリガー係数Ｆの集計は、特定のターゲット試験所１０．Ｘに合わせて調整される。
【００６６】
開示されるシステム／方法の実施形態によれば、近接度Ｐは関数であり、特に以下のパラメータのうちの１つ、又は複数のパラメータの組合せの加重関数である。
−  トリガー試験所１０．１〜１０．ｎとターゲット試験所１０．Ｘの間の地理的距離ｄ１〜ｄｎ。
【００６７】
−  トリガー試験所１０．１〜１０．ｎとターゲット試験所１０．Ｘの間の（特定の輸送基盤、例えば道路又は鉄道を考慮した）移動距離ｄｔ。
−  トリガー試験所１０．１〜１０．ｎとターゲット試験所１０．Ｘの間の移動時間ｔｔ。
【００６８】
−  トリガー試験所１０．１〜１０．ｎとターゲット試験所１０．Ｘの間の移動頻度ｔｆ。
−  選択された地理的及び／又は政治的な領域Ａ。
【００６９】
図４は、トリガー試験所１０．１〜１０．８及び１つのターゲット試験所１０．Ｘを含む複数の試験所１０の地理的分布の例を図示する。図示した実施形態においては、近接度Ｐは関数であり、そこにおいて、トリガー試験所１０．１〜１０．ｎとターゲット試験所１０．Ｘの間の地理的距離ｄｌ〜ｄｎは前述のパラメータの少なくとも１つである。例えば、トリガー試験所１０．１〜１０．ｎが遠いほど、アラートトリガー係数Ｆに対するその貢献はより小さい。
【００７０】
しかしながら、トリガー試験所１０．１〜１０．ｎの間の地理的距離ｄ１〜ｄｎは、唯一のパラメータではなく、試験所１０．８に対する１０．９で例示するように、それは最大の地理的距離ｄｍａｘよりターゲット試験所１０．Ｘに近いが、集計されるアラートトリガー係数Ｆｔｏｔのためには考慮されない。例えば試験所１０．８は例外的な偏差閾値ＥＤＴを上回った偏差Ｄを示さなかったが、試験所１０．９は特定の臨床試験について異なる規則を有する可能性がある異なる政治的な領域（異なる国）にあるからである。
【００７１】
開示するシステム／方法の実施形態によれば、加重近接度関数Ｐは、以下の加重のうちの１つ又は複数を有する。
−  トリガー試験所１０．１〜１０．ｎ及びターゲット試験所１０．Ｘに重なる既知の感染症の拡散パターン。
【００７２】
−  トリガー試験所１０．１〜１０．ｎ及びターゲット試験所１０．Ｘの地理的領域からの既知の及び／又は感染が疑われる一般参加者がある、既知の及び／又は予想される高い感染症のリスクレベルを有する既知の大きなイベント。
【００７３】
次のステップとして、ターゲット試験所１０．Ｘの近接度Ｐ内の各トリガー試験所１０．１〜１０．ｎに対応する各アラートトリガー係数Ｆの集計Ｆｔｏｔは、アラート閾値ＡＴと比較される。
【００７４】
【数１】
2018073426.tif 000003
【００７５】
集計Ｆｔｏｔがアラート閾値ＡＴに対して上回る場合、ターゲット試験所１０．Ｘは、特に通信ネットワーク４０を介して、アラートを受ける。
ターゲット試験所１０．Ｘにアラートを出すことは、ターゲット試験所１０．Ｘのユーザインタフェースに示されるアラートメッセージに注意を引かせるビープ音などの、アラートの可聴及び／又は視覚的指示を、ターゲット試験所１０．Ｘに向かってそのユーザインタフェースに発させるアラート信号を発信することを含むが、それに限られてはいない。代わりに又は加えて、アラート信号をターゲット試験所１０．Ｘに発信することは、ターゲット試験所１０．Ｘと関連した消耗品の在庫の責任を持つユーザをそれぞれ有するターゲット試験所１０．Ｘと関連した電子メールアカウントに対する電子メールなどの、電子通知を送信することを含む。代わりに又は加えて、アラート信号をターゲット試験所１０．Ｘに発信することは、その在庫管理システムとのインタフェースをもつこと含み、アラートは特定の消耗品に対応するエントリにフラグが立つようにする。
【００７６】
図５は、ターゲット試験所１０．Ｘのための消耗品の予想される需要偏差の算出を更に含む、開示されるシステム／方法の実施形態のフローチャートを示す。
開示されるシステム／方法の実施形態によれば、予想される需要偏差は、ターゲット試験所１０．Ｘの通常の需要レベルＴの関数、及び／又はターゲット試験所１０．Ｘの近接度Ｐ内の各トリガー試験所１０．１〜１０．ｎに対応する各アラートトリガー係数Ｆの関数、及び／又は各トリガー試験所の偏差Ｄの関数として、算出される。例えば、近い近接度Ｐ（例えば地理的近さ）のトリガー試験所１０．１〜１０．ｎでの消耗品の大きな偏差Ｄは、ターゲット試験所１０．Ｘから離れているトリガー試験所１０．１〜１０．ｎの同じ消耗品の比較的小さい偏差Ｄより大きい効果を有する。更なる例として、同じ集計アラートトリガー係数Ｆｔｏｔは、対応する消耗品の低い通常の需要レベルＴを有する小さいターゲット試験所１０．Ｘよりも、同じ対応する消耗品の高い通常の需要レベルＴを有する、大きいターゲット試験所１０．Ｘの予想される需要偏差に、より大きな影響を及ぼす。また、専門者試験所の需要偏差は、定型手順の試験所よりも影響が小さいであろう。
【００７７】
開示されるシステム／方法の実施形態によれば、アラート及び／又はアラートトリガー係数Ｆは、例えば、ばらつき（例外的な偏差）に非常にさらされる感染症に対する解析検査及び／又は時間的にクリティカルである（例えば緊急テスト環境の）解析試験などの、特定の解析試験又は試験のタイプに対して特有でありかつ／又は、設定可能である。
【００７８】
図６は、ターゲット試験所１０．Ｘのための消耗品の予想される需要偏差に基づいた対応する消耗品の注文書の生成を更に含む、開示されるシステム／方法の実施形態のフローチャートを示す。更にまた、注文書も、ターゲット試験所１０．Ｘの消耗品の実際の在庫に基づいて生成される。注文書は、注文すべき消耗品の従来のリストでもよい。代わりに又は加えて、注文書は、在庫管理システムにより処理される電子記録でもよい。
【００７９】
そのため、開示されるシステム／方法の実施形態に従って、対応する消耗品は、ターゲット試験所１０．Ｘのための注文書に基づいて自動的に注文される。
注文書は、注文すべき消耗品の従来のリストでもよい。代わりに又は加えて、注文書は、在庫管理システムにより処理される電子記録でもよい。
【００８０】
図７は、直接、又は、通信ネットワーク４０を介して、制御ユニット２０に通信接続している入力装置３０を更に含む在庫アラートシステム１の、更なる実施形態を示す。入力装置３０は、限定するものではないが、以下を含むことができる。
【００８１】
−  ユーザインタフェース、すなわち、限定ではないが、オペレータから入力を受け取り、更に、オペレータにフィードバックを提供し、そして情報伝達するためのグラフィカルユーザインタフェースを含む、オペレータとマシン間のインタラクションのための１個のソフトウェア及び／又はハードウェアを有している、デスクトップ又はラップトップコンピュータなどのパーソナルコンピュータ。
【００８２】
−  携帯型コンピューティング装置、すなわち、通信ネットワークを介してサーバコンピュータと通信するためのインタフェースを有する移動／携帯用電子装置であって、特に、携帯電話、スマートフォン、パーソナル携帯情報機器（ＰＤＡ）などの携帯型バッテリ式移動機器、又は、サーバコンピュータとの通信リンクを無線デジタル携帯電話電気通信ネットワーク又は別の通信チャネル上で確立するためのインタフェース（有線及び／又は無線）を備えている別の電子装置。
【００８３】
−  オペレータから入力を受け取るための、ウェブブラウザを用いてアクセス可能なウェブインタフェース。
更にまた、図７に表される実施形態の制御ユニット２０は、入力装置３０から入力を受け取るように構成される。入力装置から受け取られる入力は、予想される需要偏差の算出の精度を表す。実施形態において、算出の精度を表すこの入力は、ターゲット試験所１０．Ｘによる消耗品の需要／使用の、以前に算出されている偏差と実際に経験している偏差との比較に基づく。更に別の実施形態では、算出の精度を表すこの入力は、予想される需要偏差の専門家による見直しに基づく。
【００８４】
予想される需要偏差の算出の精度を表すこの入力に基づいて、制御ユニット２０は、例外的な偏差閾値ＥＤＴ及び／又はアラート閾値ＡＴ及び／又はアラートトリガー係数Ｆの算出のための関数のパラメータ及び／又は予想される需要偏差の算出のための関数のパラメータを調整するように構成される。前記の調整によって、開示するシステム／方法は、そのアラートの感度と具体性並びに予想される需要偏差の精度を、システム／方法をより長く展開するほど改善でき、従って、対応する試験所１０．１〜１０．ｎの消耗品の在庫のより良好な最適化さえ提供できる。
【００８５】
例えば、比較が、予想される需要偏差は実際の使用データＸをフォローすることにより反映される実際の偏差からかけ離れて予測されている、ということを示す場合は、専門的見直し（マシン学習アルゴリズムによって、又は、手動で）が起動されて、将来より良好な予測を確実にするために、どの係数、域値及び／又はパラメータが調整を必要とするかについて決定する。
【００８６】
要約すると、開示するシステム／方法は、それが、以下の複数のレベルの構成能力及び適応性を可能とするので、利点がある。
−  例外的な偏差閾値ＥＤＴによって、通常の消耗品の需要ばらつきは、各トリガー試験所１０．１〜１０．ｎに特有の方法でフィルタリング除去される。
【００８７】
−  近接度関数Ｐ及びその加重によって、各トリガー試験所１０．１〜１０．ｎの関連性（又は影響）は、特定のターゲット試験所１０．Ｘに対して微調整される。
−  集計トリガー係数Ｆｔｏｔの適切なアラート閾値ＡＴを設定することによって、関連性の低いアラートトリガー係数による誤ったトリガーは、フィルタリング除去できる。
【００８８】
言い換えれば、開示されるシステム／方法は、各トリガー試験所１０．１〜１０．ｎの、各ターゲット試験所１０．Ｘの、そして、複数の試験所１０の全体システムの特性に適応できる。
【００８９】
更に開示及び提案されるのはコンピュータプログラムであり、これは、そのプログラムがコンピュータ又はコンピュータネットワークにより実行されるときに、本明細書に取り入れられた実施形態のうちの１つ又は複数において開示される方法を実行するための、コンピュータ実装可能命令を含む。具体的には、このコンピュータプログラムは、コンピュータ可読のデータ記憶媒体に格納できる。このように、具体的には、１つ又は複数又は全ての方法ステップでさえも、コンピュータ又はコンピュータネットワークを用いて、好ましくはコンピュータプログラムを用いて、実行できる。
【００９０】
更に開示及び提案されるのはコンピュータプログラム製品であり、これは、そのプログラムがコンピュータ又はコンピュータネットワークにより実行されるときに、本明細書に取り入れられた実施形態のうちの１つ又は複数において開示される方法を実行するための、プログラムコード手段を有する。具体的には、プログラムコード手段は、コンピュータ可読のデータ記憶媒体に格納できる。この製品は、通常、紙フォーマットにおいて、又は、コンピュータ可読のデータ記憶媒体上に、任意のフォーマットで存在できる。具体的には、コンピュータプログラム製品は、データネットワーク全体に配布できる。
【００９１】
更に開示及び提案されるのは、その上に格納されるデータ構造を有するデータ記憶媒体であり、これは、コンピュータ又はコンピュータネットワークへのロード、例えばコンピュータ又はコンピュータネットワークの作業メモリ又はメインメモリへのロードの後に、本明細書において開示する実施形態のうちの１つ又は複数に従って開示される方法を実行できる。
【００９２】
本明細書中で使用する場合、コンピュータプログラム製品とは、売買可能な製品としてのプログラムを意味する。
更に開示及び提案されるのは変調されたデータ信号であり、これは、本明細書において開示される実施形態のうちの１つ又は複数による方法の実施のための、コンピュータシステム又はコンピュータネットワークによって読み込み可能な命令を含む変調されたデータ信号を含む。
【００９３】
本発明のコンピュータ実装態様を参照すると、本明細書において開示される実施形態方法ステップのうちの１つ又は複数による方法の、方法ステップのうちの１つ又は複数あるいは全てでさえ、コンピュータ又はコンピュータネットワークを用いて実行できる。このように、通常、データの提供及び／又は操作を含む方法ステップのいずれも、コンピュータ又はコンピュータネットワークを用いて実行できる。通常、これらの方法ステップは、試料及び／又は実測を実行する特定の態様を提供することなどの、手作業を必要としている方法ステップを一般的には除いて、方法ステップのいずれも含むことができる。
【００９４】
以下の請求項に記載の本発明の範囲を逸脱せずに先に記載されている特定の構造に基づいて、多くの変形が採用され得ることが理解されよう。
【符号の説明】
【００９５】
１  在庫アラートシステム
１０  試験所
１０．１〜１０．ｎ  トリガー試験所
１０．Ｘ  ターゲット試験所
１２  試験所用器具
２０  制御ユニット
３０  入力装置
４０  通信ネットワーク
Ｔ  通常の需要レベル
Ｘ  実際の使用データ
Ｄ  偏差（実際の使用データの）
ＥＤＴ  例外的な偏差閾値
Ｆ  アラートトリガー係数
Ｆｔｏｔ  集計アラートトリガー係数
ＡＴ  アラート閾値
Ｐ  近接度
ｄ  地理的距離
ｄｔ  移動距離
ｔ  移動時間
ｔｆ  移動頻度
Ａ  地理的及び／又は政治的な領域
【図１】
2018073426.tif 000004
【図２】
2018073426.tif 000005
【図３】
2018073426.tif 000006
【図４】
2018073426.tif 000007
【図５】
2018073426.tif 000008
【図６】
2018073426.tif 000009
【図７】
2018073426.tif 000010
【外国語明細書】
2018073426000001.pdf